(57)【要約】【課題】植栽鉢内の土の乾燥を遅らせて、植栽物の生育環境の劣悪化を防止して、植栽物の枯死や根腐れがないようする。【解決手段】プラスチック材、またはプラスチック廃材と廃木材との混合再生材により、内壁板２、外壁板３、天板４および底板５を備えて方形中空に成型されると共に、前記内壁板２と外壁板３とを区画壁６によって連結固定して、該区画壁６により区画された通気室７を設け、更に前記外壁板３に、前記通気室７と連通する多数の通気小孔８を穿設して２重構造のパネル１を形成する一方、前記パネル１を方形枠状に接合固定して枠体９とすると共に、該枠体９の下部に、前記パネル１の内壁板２に排水孔１０を穿設した底壁１１を一体に接合固定して空調可能な植栽用鉢を形成する。【選択図】図２
2008295393.tif 000002
【特許請求の範囲】
【請求項１】
プラスチック材、またはプラスチック廃材と廃木材との混合再生材により、内壁板、外壁板、天板および底板を備えて方形中空状に成型されると共に、前記内壁板と外壁板とを、１枚、または複数枚の区画壁によって連結固定して、該区画壁と前記内壁板、外壁板、天板および底板とにより区画された１個、または複数個の通気室を設け、更に前記外壁板に、前記通気室と連通する多数の通気小孔を穿設して２重構造のパネルを形成する一方、前記パネルを方形枠状に接合固定して枠体とすると共に、該枠体の下部に、前記パネルの内壁板に１個、または複数個の排水孔を穿設した底壁を一体に接合固定したことを特徴とする空調可能な植栽用鉢。
【発明の詳細な説明】
【技術分野】
【０００１】
本発明は、草、花、木等の植物を植栽する植木鉢、またはプランター等の植栽鉢に充填された土が、特に夏季において、太陽光を受けたり、外気温の上昇に伴い、かなり高温となるが、土の温度の上昇をある程度抑えることにより、土の乾燥を遅らせ、植栽鉢の植栽物の生育環境の劣悪化を防止して、植栽物が枯死したりすることもなく、また水のかけすぎによる根腐れがないようにした空調可能な植栽用鉢である。
【背景技術】
【０００２】
家庭で使用されている植木鉢、またはプランター等の植栽鉢に充填された土は、特に夏季においては、太陽光を受けたり、外気温の上昇に伴い、かなり高温となり、土が乾燥する等、植栽物に悪影響を与えるが、従来、
植栽鉢に充填された土の、温度の上昇を防止することを目的とした植栽鉢は実用に供されておらず、水を頻繁にかけるか、植栽鉢を日陰に移動させる以外になかった。
【０００３】
また、植栽鉢に充填された土の温度上昇を防止する手段を備えた先行技術文献として、過去の特許文献を遡及検索したところ、下記の特許文献１に開示されたものが公知である。
【０００４】
前記特許文献１に記載されたものは、植栽鉢の内周壁面と土との間に空調孔を設けた湾曲板を差し込んで空間を形成して、この空間において、植栽鉢内の日光等により温まった熱気および植物の根系の余分な水分を、
前記空調孔を介して外部に放出させると共に、新鮮な空気を植栽鉢内に供給し、植栽鉢内の空気を対流させ、植物の育成を促進させるようにしたものである。
【０００５】
【特許文献１】実用新案登録第３０５９３７２号公報
【発明の開示】
【発明が解決しようとする課題】
【０００６】
前記のように、従来は植栽鉢に充填された土の温度上昇を防止する手段を備えた植栽鉢は実用に供されておらず、単に水を頻繁にかけるか、植栽鉢を日陰に移動させるしか方法がなく、水を多くかけすぎると、根腐れを起こしてしまうという課題があり、また日陰に移動させるという方法は、面倒であるという課題があった。
【０００７】
また、特許文献１に記載のものでは、空調孔から土が湾曲板の外側に排出して植栽鉢との空間を埋めてしまい、空気の対流が生ぜず、従って、植栽された植物の根腐れを防止し、植物の育成を促進させるということができないという課題があった。
【０００８】
本発明は、前記課題を解決すべくなされたものであって、内壁板と外壁板とを区画壁で連結固定して、該内壁板と外壁板間に通気室を設けると共に、前記外壁板に多数の通気小孔を穿設して形成された２重構造のパネルを枠状に接合固定して枠体を形成し、且つ該枠体の下面に、前記内壁板に排水孔を穿設した底壁を一体に接合固定することにより、特に夏季において、太陽光を受けたり、外気温の上昇に伴い、温度が上がって加熱された土の熱気が、前記枠体および底壁を構成する内壁板に伝導されて通気室内に流入し、そして、前記通気室内に流入した熱気が、外壁板の通気小孔から通気室内に流入した、少なくとも前記土の熱気よりは低い温度の外気により冷やされて、内壁板の温度を下げることにより、該内壁板と接する土の熱気を冷まして、土の乾燥を遅らせるようにした空調可能な植栽用鉢を提供しようとするものである。
【課題を解決するための手段】
【０００９】
本発明は、プラスチック材、またはプラスチック廃材と廃木材との混合再生材により、内壁板、外壁板、天板および底板を備えて方形中空状に成型されると共に、前記内壁板と外壁板とを、１枚、または複数枚の区画壁によって連結固定して、該区画壁と前記内壁板、外壁板、天板および底板とにより区画された１個、または複数個の通気室を設け、更に前記外壁板に、前記通気室と連通する多数の通気小孔を穿設して２重構造のパネルを形成する一方、前記パネルを方形枠状に接合固定して枠体とすると共に、該枠体の下部に、前記パネルの内壁板に１個、または複数個の排水孔を穿設した底壁を一体に接合固定するという手段を採用することにより、上記課題を解決した。
【発明の効果】
【００１０】
本発明空調可能な植栽用鉢によれば、特に、夏季において、強い太陽光を受けたり、外気温の上昇に伴い、植栽用鉢内の土が加熱されて熱気を帯びると、該熱気が、枠体および底壁を構成する内壁板に伝導して通気室内に流入するが、該通気室は多数の通気小孔を介して、少なくとも前記加熱された土の熱気よりは低い温度の植栽用鉢外の外気が常に流入するため、該低い温度の外気により通気室内の前記熱気が冷やされ、内壁板の温度を下げて、土の熱気を冷ますことができるので、土の乾燥を遅らせて、植栽物の生育環境の劣悪化を防止して、植栽物の枯死を阻止することができ、更に乾燥予防のため、頻繁に水をかける必要もないので、水のかけすぎによる根腐れを阻止することができるという優れた効果を奏する。
【００１１】
また、本発明植栽用鉢の素材である２重構造のパネルを構成する内壁板と外壁板とは、区画壁により連結固定されているので、内壁板と外壁板とが肉薄であっても、充分にその強度を保持することができる。
【実施例】
【００１２】
本発明の実施例を図面に基づいて詳細に説明するに、本発明空調可能な植栽用鉢は、プラスチック材、またはプラスチック廃材と廃木材との混合材を、押し出し成型して得られた方形中空状の２重構造をしたパネル１を用いて製造する。
【００１３】
前記パネル１は、内壁板２、外壁板３、天板４および底板５を備えて方形中空状の２重構造に成型されると共に、内壁板２と外壁板３とを、１枚、または複数枚の区画壁６により連結固定して、該区画壁６と、前記内壁板２、外壁板３、天板４および底板５とにより区画された１個、または複数個の通気室７を設け、更に前記外壁板３に、前記通気室７と連通する多数の通気小孔８を穿設して形成される。
【００１４】
そして、前記構成より成るパネル１を適宜大きさの方形枠状に接合固定して枠体９とすると共に、該枠体９の下部に、前記パネル１の内壁板２に１個、または複数個の排水孔１０を穿設した底壁１１を一体に接合固定して本発明空調可能な植栽用鉢を形成する。なお、前記内壁板２と外壁板３とは、区画壁６により連結固定されているので、内壁板２と外壁板３とが肉薄であっても、充分にその強度は保持される。
【００１５】
前記構成より成る空調可能な植栽用鉢の作用について説明すると、枠体９と底壁１１とで囲繞された空間部１２内に土１３を充填し、草、花、木等の植栽物１４を植えて植栽鉢をベランダや庭等に置いて、特に、夏季において、前記土１３が、強い太陽光を受けたり、外気温の上昇に伴い、加熱されて熱気を帯びると、該熱気が、枠体９および底壁１１を構成する内壁板２に伝導する。
【００１６】
そして、前記内壁板２に伝導した熱気は通気室７内に流入するが、該通気室７内には多数の通気小孔８を介して、少なくとも前記土１３の熱気よりは低い温度の植栽用鉢外の外気が常に流入するため、該低い温度の外気により通気室７内の前記熱気が冷やされ、内壁板２の温度を下げて(実験の結果、５〜６℃程度の温度の低下が認められた)、土１３の熱気を冷ますことができる。
【００１７】
これにより、土１３の乾燥を遅らせると共に、植栽物１４の生育環境の劣悪化を防止して、植栽物１４の枯死を阻止することができ、更に乾燥予防のため、頻繁に水をかける必要もないので、水のかけすぎによる根腐れを阻止することができる。
【００１８】
また、内壁板２と外壁板３とは、区画壁６により連結固定されているので、前記内壁板２と外壁板３とが肉薄であっても、充分にその強度は保持される。そして、土１３からの排水は、底壁１１の排水孔１０から通気小孔８を通して行われる。なお、図中、１５は持ち運び用の切り抜きである。
【図面の簡単な説明】
【００１９】
【図１】本発明空調可能な植栽用鉢の全体の斜視図である。
【図２】本発明空調可能な植栽用鉢の縦断面図である。
【符号の説明】
【００２０】
１    パネル
２    内壁板
３    外壁板
４    天板
５    底板
６    区画壁
７    中空室
８    通気小孔
９    枠体
１０  排水孔
１１  底壁
１２  空間部
１３  土
１４  植栽物  
１５  持ち運び用の切り抜き
【図１】
2008295393.tif 000003
【図２】
2008295393.tif 000004